(57)【要約】      （修正有）【課題】画用木炭の持ち方でタッチパネルの操作を行うことができる多点式スタイラスペンを提供する。【解決手段】多点式スタイラスペンの使用時には、前記軸１０を斜めに寝かせて、該軸１０に設けられる２つの接触部からなる接触組を携帯型電子機器のタッチパネル４０に接触させる。第一接触部２１及び第四接触部２４からなる第三接触組を携帯型電子機器のタッチパネル４０に接触させる。また、スケッチソフトウェアにおいて、タッチパネル４０に接触する第一接触部２１と第四接触部２４との間に連続的に着色効果が表現されるように設定を行うことにより、使用者が多点式スタイラスペンの軸１０を移動させたとき、画用木炭の技法と同様の方法でタッチパネル４０のキャンバスに背景処理や塗りつぶしなど簡単に実行でき、従来の画材の使用感を再現することができる。【選択図】図１２
0003182520.tif 000002
【実用新案登録請求の範囲】
【請求項１】
軸と、
長手方向に沿って、間隔をおいて前記軸に設けられる複数の接触部とを有することを特徴とする多点式スタイラスペン。
【請求項２】
前記複数の接触部における何れか２つの接触部の表面と接する接線を引くことができると共に、該接線は前記軸と接触しないことを特徴とする請求項１に記載の多点式スタイラスペン。
【請求項３】
前記軸に複数の区域が設けられ、該区域同士が互いに結合される箇所に形成される結合部及び前記軸の両端に夫々突出部が設けられると共に、前記複数の接触部は夫々該複数の突出部に位置することを特徴とする請求項１または請求項２に記載の多点式スタイラスペン。
【請求項４】
前記複数の突出部は夫々異なる方向に向かうことを特徴とする請求項３に記載の多点式スタイラスペン。
【請求項５】
第一区域と、第二区域と、第三区域と、第四区域の４つの区域を有し、該第二区域の両端は夫々、該第一区域及び該第三区域に結合され、該第三区域における、該第二区域と結合される端と反対する端が該第四区域の一端と結合され、
前記第一区域の自由端に位置する第一接触部と、前記第一区域と前記第二区域との結合部に位置する第二接触部と、前記第二区域と前記第三区域との結合部に位置する第三接触部と、前記第三区域と前記第四区域との結合部に位置する第四接触部と、前記第四区域の自由端に位置する第五接触部との５つの接触部を有することを特徴とする請求項４に記載の多点式スタイラスペン。
【請求項６】
前記第四区域の長さは、前記第三区域の長さよりも長く、前記第三区域の長さは、前記第二区域の長さよりも長く、前記第二区域の長さは、前記第一区域の長さよりも長いことを特徴とする請求項５に記載の多点式スタイラスペン。
【請求項７】
前記第一接触部と前記第二接触部とからなる第一接触組と、前記第一接触部と前記第三接触部とからなる第二接触組と、前記第一接触部と前記第四接触部とからなる第三接触組と、前記第一接触部と前記第五接触部とからなる第四接触組と、前記第二接触部と前記第三接触部とからなる第五接触組と、前記第二接触部と前記第四接触部とからなる第六接触組と、前記第三接触部と前記第五接触部とからなる第七接触組と、前記第四接触部と前記第五接触部とからなる第八接触組とを有することを特徴とする請求項５に記載の多点式スタイラスペン。
【考案の詳細な説明】
【技術分野】
【０００１】
本考案は、特に画用木炭の持ち方でタッチパネルの操作を行うことができる多点式スタイラスペンに関するものである。
【背景技術】
【０００２】
画用木炭は、従来のスケッチ用の画材の一種であり、例えば、柳の木の枝を焼成した画用木炭は、その先端で線を引くだけでなく、木炭の腹を使って紙面に黒色を付け、こすりやぼかしなどの技法を駆使することにより、画面の調子や黒色の味合いを調整することができる。例えば、紙面に大面積の背景を塗るために、木炭の腹を使って広範囲に着色する時、着色面積の大きさに見合った長さの木炭を選択し、長い木炭により均一な色合いを描いたり、短い木炭により小面積で硬い調子を描いたりすることができる。
【０００３】
その後、技術の進歩に伴い、携帯型電子機器のタッチパネルに便利に絵や文字を描くことができるスケッチソフトウェアが開発されたので、そのタッチパネルを利用して作画やデザインを行う人が増える傾向となっている。また、前記携帯型電子機器のスケッチソフトウェアの操作を行う道具として用いられている従来の一点式スタイラスペンによれば、細い先端をタッチパネルと接触させることにより、図面や文字を描くことができる。
【考案の概要】
【考案が解決しようとする課題】
【０００４】
しかしながら、タッチパネルに表示されたキャンバスに、例えば従来の一点式スタイラスペンの細い先端で背景を描くためには、前記スケッチソフトウェアにおいて、先の太いペンを用いるとの設定をし、一点式スタイラスペンの細い先端で、該スケッチソフトウェアが創りだしたキャンバスにおける大面積の塗りつぶしを行う必要があるが、これでは、持ち方や運筆方法などが従来の画用木炭の腹を用いた塗りつぶし作業と大幅に異なるので、画用木炭など画材を常用してきた使用者にとっては、作画感覚を妨げるような違和感が生じてしまう。故に、従来のスケッチなどの作画方法に慣れた使用者が作画の習慣を変えずに前記携帯型電子機器のスケッチソフトウェアのキャンバスに作画やデザインを行える技術手段が必要であった。
【０００５】
そこで、案出されたのが本考案であって、画用木炭の持ち方でタッチパネルを操作できると共に、従来の画材の使用感を再現することができる多点式スタイラスペンを提供することを目的としている。
【課題を解決するための手段】
【０００６】
本願の請求項１の考案は、軸と、
長手方向に沿って、間隔をおいて前記軸に設けられる複数の接触部とを有することを特徴とする多点式スタイラスペン、を提供する。
【０００７】
本願の請求項２の考案は、前記複数の接触部における何れか２つの接触部の表面と接する接線を引くことができると共に、該接線は前記軸と接触しないことを特徴とする請求項１に記載の多点式スタイラスペン、を提供する。
【０００８】
本願の請求項３の考案は、前記軸に複数の区域が設けられ、該区域同士が互いに結合される箇所に形成される結合部及び前記軸の両端に夫々突出部が設けられると共に、前記複数の接触部は夫々該複数の突出部に位置することを特徴とする請求項１または請求項２に記載の多点式スタイラスペン、を提供する。
【０００９】
本願の請求項４の考案は、前記複数の突出部は夫々異なる方向に向かうことを特徴とする請求項３に記載の多点式スタイラスペン、を提供する。
【００１０】
本願の請求項５の考案は、第一区域と、第二区域と、第三区域と、第四区域の４つの区域を有し、該第二区域の両端は夫々、該第一区域及び該第三区域に結合され、該第三区域における、該第二区域と結合される端と反対する端が該第四区域の一端と結合され、
前記第一区域の自由端に位置する第一接触部と、前記第一区域と前記第二区域との結合部に位置する第二接触部と、前記第二区域と前記第三区域との結合部に位置する第三接触部と、前記第三区域と前記第四区域との結合部に位置する第四接触部と、前記第四区域の自由端に位置する第五接触部との５つの接触部を有することを特徴とする請求項４に記載の多点式スタイラスペン、を提供する。
【００１１】
本願の請求項６の考案は、前記第四区域の長さは、前記第三区域の長さよりも長く、前記第三区域の長さは、前記第二区域の長さよりも長く、前記第二区域の長さは、前記第一区域の長さよりも長いことを特徴とする請求項５に記載の多点式スタイラスペン、を提供する。
【００１２】
本願の請求項７の考案は、前記第一接触部と前記第二接触部とからなる第一接触組と、前記第一接触部と前記第三接触部とからなる第二接触組と、前記第一接触部と前記第四接触部とからなる第三接触組と、前記第一接触部と前記第五接触部とからなる第四接触組と、前記第二接触部と前記第三接触部とからなる第五接触組と、前記第二接触部と前記第四接触部とからなる第六接触組と、前記第三接触部と前記第五接触部とからなる第七接触組と、前記第四接触部と前記第五接触部とからなる第八接触組とを有することを特徴とする請求項５に記載の多点式スタイラスペン、を提供する。
【考案の効果】
【００１３】
本考案は上記の課題を解決するものであり、画用木炭と類似した持ち方及び使用感を有し、該多点式スタイラスペンは、画用木炭のように斜めに寝かせて画面を描けるようにするために、タッチパネルに接触している２つの接触部でタッチパネルのキャンバスに木炭の腹の表現を再現させる設定を前記スケッチソフトウェアで行っておけば、従来のスケッチなどの作画方法に慣れた使用者は、元の作画の習慣のまま、携帯型電子機器で作画やデザインを行うことができるので、非常に便利で実用的である。
【００１４】
また、ソフトウェアにおいて先にペン先の幅を設定しておかなくてはならない従来の一点式スタイラスペンの使用方法よりも、２つの接触部を利用し、タッチパネルに多様なペン先の幅を自然に表現する、異なる幅が形成される多点式スタイラスペンの方が従来の作画方法に近いデザインを表現することができる。
【図面の簡単な説明】
【００１５】
【図１】本考案に係る多点式スタイラスペンの斜視図である。
【図２】本考案に係る多点式スタイラスペンの側面図である。
【図３】本考案に係る多点式スタイラスペンの他の側面図である。
【図４】本考案に係る多点式スタイラスペンの他の正面図である。
【図５】本考案に係る多点式スタイラスペンにおける第一接触組の使用状態を示す側面図である。
【図６】本考案に係る多点式スタイラスペンにおける第二接触組の使用状態を示す側面図である。
【図７】本考案に係る多点式スタイラスペンにおける第三接触組の使用状態を示す側面図である。
【図８】本考案に係る多点式スタイラスにペンおける第四接触組の使用状態を示す側面図である。
【図９】本考案に係る多点式スタイラスペンにおける第五接触組の使用状態を示す側面図である。
【図１０】本考案に係る多点式スタイラスペンにおける第六接触組の使用状態を示す側面図である。
【図１１】本考案に係る多点式スタイラスペンにおける第七接触組の使用状態を示す側面図である。
【図１２】本考案に係る多点式スタイラスペンの持ち方を示す側面図である。
【考案を実施するための形態】
【００１６】
図１ないし図４に示すように、本考案に係る多点式スタイラスペンは、軸１０及び複数の接触部を有する。
【００１７】
前記軸１０は、金属製であり、長手方向に沿って、順に第一区域１１、第二区域１２、第三区域１３及び第四区域１４との４つの区域が形成され、該第四区域１４の長さは、前記第三区域１３の長さよりも長く、前記第三区域１３の長さは、前記第二区域１２の長さよりも長く、前記第二区域１２の長さは、前記第一区域１１の長さよりも長い。また、前記第二区域１２の両端は夫々、第一区域１１及び第三区域１３に結合され、第三区域１３における、第二区域１２と結合される端と反対する端は、第四区域１４の一端と結合される。区域同士が互いに結合される箇所に、結合部が形成される。
【００１８】
前記第一区域１１の自由端に第一突出部１５が形成され、該第一区域１１と第二区域１２との結合部に第二突出部１６が形成され、該第二区域１２と第三区域１３との結合部に第三突出部１７が形成され、該第三区域１３と第四区域１４との結合部に第四突出部１８が形成され、該第四区域１４の自由端に第五突出部１９が形成される。また、前記複数の突出部１５、１６、１７、１８、１９は、夫々異なる方向に向かう。
【００１９】
前記複数の接触部は、導電性ゴムからなり、第一接触部２１、第二接触部２２、第三接触部２３、第四接触部２４及び第五接触部２５を含み、該第一接触部２１は前記第一突出部１５に設けられ、該第二接触部２２は前記第二突出部１６に設けられ、該第三接触部２３は前記第三突出部１７に設けられ、該第四接触部２４は前記第四突出部１８に設けられ、該第五接触部２５は前記第五突出部１９に設けられる。
【００２０】
図５に示すように、前記第一接触部２１の表面と第二接触部２２の表面とが接する方向に仮想の接線３０を引くことができると共に、該仮想の接線３０は、前記軸１０や他の接触部２３、２４、２５と接触しない。また、前記第一接触部２１及び第二接触部２２は、第一接触組を構成する。
【００２１】
図６に示すように、前記第一接触部２１の表面と第三接触部２３の表面とが接する方向に仮想の接線３１を引くことができると共に、該仮想の接線３１は、前記軸１０や他の接触部２２、２４、２５と接触しない。また、前記第一接触部２１及び第三接触部２３は、第二接触組を構成する。
【００２２】
図７に示すように、前記第一接触部２１の表面と第四接触部２４の表面とが接する方向に仮想の接線３２を引くことができると共に、該仮想の接線３２は、前記軸１０や他の接触部２２、２３、２５と接触しない。また、前記第一接触部２１及び第四接触部２４は、第三接触組を構成する。
【００２３】
図８に示すように、前記第一接触部２１の表面と第五接触部２５の表面とが接する方向に仮想の接線３３を引くことができると共に、該仮想の接線３３は、前記軸１０や他の接触部２２、２３、２４と接触しない。また、前記第一接触部２１及び第五接触部２５は、第四接触組を構成する。
【００２４】
図９に示すように、前記第二接触部２２の表面と第三接触部２３の表面とが接する方向に仮想の接線３４を引くことができると共に、該仮想の接線３４は、前記軸１０や他の接触部２１、２４、２５と接触しない。また、前記第二接触部２２及び第三接触部２３は、第五接触組を構成する。
【００２５】
図１０に示すように、前記第二接触部２２の表面と第四接触部２４の表面とが接する方向に仮想の接線３５を引くことができると共に、該仮想の接線３５は、前記軸１０や他の接触部２１、２３、２５と接触しない。また、前記第二接触部２２及び第四接触部２４は、第六接触組を構成する。
【００２６】
図１１に示すように、前記第三接触部２３の表面と第五接触部２５の表面とが接する方向に仮想の接線３６を引くことができると共に、該仮想の接線３６は、前記軸１０や他の接触部２１、２２、２４と接触しない。また、前記第三接触部２３及び第五接触部２５は、第七接触組を構成する。
【００２７】
前記第四接触部２４及び第五接触部２４は、第八接触組を構成する。
【００２８】
図１２に示すように、本考案に係る多点式スタイラスペンを使用する時は、前記軸１０を斜めに寝かせて、該軸１０に設けられる２つの接触部からなる接触組を携帯型電子機器のタッチパネル４０に接触させる。例えば、図１２に示すように、第一接触部２１及び第四接触部２４からなる第三接触組を携帯型電子機器のタッチパネル４０に接触させる。また、スケッチソフトウェアにおいて、タッチパネル４０に接触する第一接触部２１と第四接触部２４との間に連続的に着色効果が表現されるように設定を行うことにより、使用者が本考案に係る多点式スタイラスペンの軸１０を移動させたとき、従来の画用木炭の技法と同様の方法でタッチパネル４０のキャンバスに背景処理や塗りつぶしなど簡単に実行できることから、従来の画材の使用感を再現することができる。尚、何れか一つの接触部をタッチパネル４０に接触させることにより絵を描いても構わない。
【００２９】
上述したように、各接触組の２つの接触部の間の異なる幅は、異なる太さの各ペンのペン先に対応することから、例えば、描こうとする、または塗りつぶそうとする面積の大きさに見合ったう接触組を選択すれば、タッチパネル４０のキャンバスに画用木炭の腹による作画効果を再現することができるので、従来の画材を使用する作画方法と類似した使用感を提供することができる。
【００３０】
また、本考案に係る多点式スタイラスペンにおける、例えば、前記第一接触部２１または第五接触部２５などの一つの接触部をタッチパネル４０に接触させて入力しても構わない。即ち、本考案に係る多点式スタイラスペンは、従来の一点式スタイラスペンの使用方法でも使用できるので、多様な使用方法を持っている。
【産業上の利用可能性】
【００３１】
本考案は上記の構成を有するので、画用木炭の持ち方でタッチパネルの操作が行えると共に、従来の画材の使用感を再現することができる多点式スタイラスペンを提供することができる。
【符号の説明】
【００３２】
１０  軸
１１  第一区域
１２  第二区域
１３  第三区域
１４  第四区域
１５  第一突出部
１６  第二突出部
１７  第三突出部
１８  第四突出部
１９  第五突出部
２１  第一接触部
２２  第二接触部
２３  第三接触部
２４  第四接触部
２５  第五接触部
３０、３１、３２、３３、３４、３５、３６  仮想の接線
４０  タッチパネル
【図１】
0003182520.tif 000003
【図２】
0003182520.tif 000004
【図３】
0003182520.tif 000005
【図４】
0003182520.tif 000006
【図５】
0003182520.tif 000007
【図６】
0003182520.tif 000008
【図７】
0003182520.tif 000009
【図８】
0003182520.tif 000010
【図９】
0003182520.tif 000011
【図１０】
0003182520.tif 000012
【図１１】
0003182520.tif 000013
【図１２】
0003182520.tif 000014